(57)【要約】【課題】流出油量が多大であっても、また、油膜が薄くなった段階でも処理可能であり、取扱いが容易でしかも安価な流出油の処理方法を提供する。【解決手段】流出油７またはこれを回収して発生した廃水に、ごみ固形燃料を炭化して得られた炭化物４を撒布し、混合することにより、前記流出油７を凝集させ、または前記廃水から油分を除去する。前記炭化物は、ごみ固形燃料を酸素濃度１％以下の雰囲気で５００　℃以上で炭化しあるいは該炭化後賦活処理したもの、あるいはこれらに油分を分解するバクテリアを添加したものが好ましい。【選択図】　図２
2004113884.tif 000002
【特許請求の範囲】
【請求項１】
流出油にごみ固形燃料を炭化して得られた炭化物を撒布し、混合することを特徴とする流出油の処理方法。
【請求項２】
流出油を回収して発生した廃水に、ごみ固形燃料を炭化して得られた炭化物を撒布し、混合することにより、前記廃水から油分を除去することを特徴とする流出油の処理方法。
【請求項３】
前記炭化物は、ごみ固形燃料を酸素濃度１％以下の雰囲気で５００　℃以上で炭化しあるいは該炭化後賦活処理したものであることを特徴とする請求項１又は２に記載の流出油の処理方法。
【請求項４】
前記炭化物は、ごみ固形燃料を酸素濃度１％以下の雰囲気で５００　℃以上で炭化しあるいは該炭化後賦活処理したものに、油分を分解するバクテリアを添加したものであることを特徴とする請求項１又は２に記載の流出油の処理方法。
【発明の詳細な説明】
【０００１】
【発明の属する技術分野】
本発明は、主に海面またはその他の水面に浮遊している流出油（原油、重油、潤滑油等々の油が事故等で流出したもの）を処理するための流出油の処理方法に関する。
【０００２】
【従来の技術】
タンカーなど船舶が事故を起こし、貯蔵されていた油が流れ出すと、この流出油は海流に乗って広範囲にわたって拡散していく。そのため流出油の周囲にオイルフェンスを張って流出油が拡散していくのを防止すると共に、流出油の回収作業を行うことが必要になる。
【０００３】
この流出油の回収作業としては、海面に浮遊する流出油に向かって吸着マットを投げて、この吸着マットに流出油を吸着させて該吸着マットを回収することが行なわれる。しかし、この吸着マットには油分だけでなく水分も吸着されており、回収した吸着マットは焼却処分するしかないが、燃焼性が悪く、ＣＯ２　排出、黒煙等の発生源となっていた。
【０００４】
また、広い範囲にわたって浮遊する流出油を回収するには、多量の吸着マットを用いる必要がある。さらに、吸着マットの他に、柄杓などで流出油を回収することも行なわれるが、非常に大変な作業となっていたものである。
これら流出油回収作業の容易化のために、従来、次のような技術が提案されている。
【０００５】
・エンドレスベルトの外周面にオイル付着部材を配設し、該ベルトをオイルフェンス内の重油に部分接触させながら回転させることで、水面に浮遊している重油をオイル付着部材に付着させて回収するオイルの回収方法と装置（特許文献１参照）。
・ウレタンフォームを油流出現場で発泡させて海面に展開し、ウレタンフォームの油吸着を促進し吸着量を大ならしめることで流出油の回収を促進させる方法（特許文献２参照）。
【０００６】
・膨張黒鉛が、重油、潤滑油等を極めて良く吸収し、かつ油類を吸収した後塊状に凝集するため回収し易く、油類吸着材として優れているとして、膨張黒鉛を加熱膨張させ、液状物質を透過しうる材料で形成された空間内に充填して取扱い容易な複合体とした油類の吸着材（特許文献３参照）。
【０００７】
【特許文献１】
特許第３１５５５００　号公報
【特許文献２】
特開平８−７３５５６号公報
【特許文献３】
特開平７−１３６５０１　号公報
【０００８】
【発明が解決しようとする課題】
しかしながら、特許文献１による回収方法では、すべての重油を回収するのは困難であるため、重油膜が薄くなった段階で、吸着マットなどの回収手段を使う必要がある。また、特許文献２の方法では、ウレタンフォームを油流出現場で発泡させて表面積を拡大し、油の吸着を促進し吸着量を大ならしめるため、取扱いは便利であるが、回収後の取扱いは吸着マットと同様な問題がある。さらに、特許文献３の吸着材は、膨張黒鉛を加熱膨張させ、液状物質を透過しうる材料で形成された空間内に充填してなるもので、取扱いは容易であるが、高価であるという難点があり、安価なものが要望されていた。
【０００９】
本発明は、前記問題解決に当たり、流出油量が多大であっても、また、油膜が薄くなった段階でも処理可能であり、取扱いが容易でしかも安価な流出油の処理方法を提供することを目的とするものである。
【００１０】
【課題を解決するための手段】
本発明者は、生活ごみ、都市ごみなど廃棄物から製造されるごみ固形燃料（ＲＤＦ）を炭化し製造した炭化物が、前記重油等の油類に対する吸着性能に優れている点を発見し、これを基本として本発明を完成させたものである。すなわち、ごみ固形燃料を炭化して得られた炭化物の用途を探っていく途上で、例えば図１に示すように、ガラスコップ１に入れた水２の表面上に廃油を滴らし、その油膜３の上にＲＤＦを炭化してなる炭化物４をまぶすと、見る見るうちに油膜３を吸着して油と炭化物からなる凝集体５と化し、ガラスコップ１の底に沈むことを見出した。この吸着凝集作用を基本として構成された本発明は以下のとおりである。
【００１１】
本発明は、流出油にごみ固形燃料を炭化して得られた炭化物を撒布し、混合することを特徴とする流出油の処理方法である。これにより、流出油を炭化物で凝集させ、拡散を防止することができる。なお、ここでいう流出油には、海上に流出した油の他、河川湖沼などへの流出油も含まれる。
また、本発明は、流出油を回収して発生した廃水に、ごみ固形燃料を炭化して得られた炭化物を撒布し、混合することにより、前記廃水から油分を除去することを特徴とする流出油の処理方法である。これにより、従来、重油回収などで多量の水とともに回収される重油など油分の回収において生じる廃水中の油分を凝集させ除去することが可能となる。
【００１２】
さらに、本発明では、前記炭化物は、ごみ固形燃料を酸素濃度１％以下の雰囲気で５００　℃以上で炭化しあるいは該炭化後賦活処理したものであることが好ましい。これにより、炭化物は膨大な空隙を有するものとなり、この空隙に油分を取り込んで効率よく凝集させることができる。
また、本発明では、前記炭化物は、ごみ固形燃料を酸素濃度１％以下の雰囲気で５００　℃以上で炭化しあるいは該炭化後賦活処理したものに、油分を分解するバクテリアを添加したものであることが好ましい。これにより、流出油の凝集体は微生物（バクテリア）の分解処理を経て無害化することができる。
【００１３】
【発明の実施の形態】
本発明では、例えば図２に示すように、座礁又は衝突等の事故により破損したタンカー等のオイル流出源６からオイル（流出油）７が流出して浮遊している海９面上（河川湖沼等の水面上でもよい）に、好ましくはオイル７周囲をオイルフェンス１０で囲った囲い内の海９面上に、ごみ固形燃料（ＲＤＦ）を炭化して得られた炭化物４を撒布し、混合することにより、該炭化物４にオイル７を吸着させるとともに、オイルを吸着した炭化物を凝集させ、凝集体５となして沈殿させるものである。
【００１４】
前記炭化物は、粉末状で良く、サンドポンプの如き撒布機にて油の流出した海面に撒布すればよく、作業性は極めて良好であり、高能率で流出油を処理できる。そして、撒布した炭化物とオイルの接触を助長させるために、炭化物撒布後攪拌してオイルと混合する。攪拌は、機械的攪拌および圧力水による海面攪拌のいずれでもよい。撒布により炭化物と接したオイル、および攪拌により炭化物と接したオイルは、炭化物に捕捉吸着、凝集され、海底に沈む。沈殿した凝集体は浅瀬では波打ち際に打ち上げられ、塊状の凝集体として回収できる。回収された凝集体はほぼ油分と炭化物からなり水分はごく僅かであるため、燃焼処理が可能であり、燃料としての再利用もできる。
【００１５】
また、炭化物として、ＲＤＦの炭化成品又は炭化後賦活処理成品に油分を分解するバクテリアを添加した炭化物を使用することにより、この炭化物によって吸着され凝集して海底に沈んだオイルは、その中に住み着いたバクテリアにより徐々に分解される。バクテリアとはリパーゼ等の油脂分解酵素を分泌する微生物を指し、酵素の働きにより重油など油脂をグリセリンと脂肪酸に分解するものから選ぶ。分解されたグリセリンと脂肪酸はさらに生物分解されて、最終的には二酸化炭素や水になる。従って、オイルを回収する作業の手間が省け、流出油を無害化処理することが可能となる。
【００１６】
なお、オイルを分解するバクテリアを住まわせた炭化物も、サンドポンプの如き撒布機にて容易に撒布できるため、作業性は変わらず、高能率でオイルを処理できることになる。
また、本発明のもう１つの方法、すなわち、流出油を回収して発生した廃水に、ごみ固形燃料を炭化して得られた炭化物を撒布し、混合することにより、前記廃水から油分を除去することを特徴とする流出油の処理方法では、流出油を回収する際に海水とともに油分が回収される結果生じる油分の多い廃水に対し、炭化物を撒布（あるいは添加）して廃水中に含有される油分を凝集除去し、流出油の回収作業に伴う廃水処理難の問題を解決することができる。
【００１７】
なお、本発明で用いられる、ごみ固形燃料を炭化してなる炭化物は、以下の各工程を通して製造される。
（１）　破袋及び粗大異物除去
生活ごみ、都市ごみなど廃棄物から、まず、大きな鉄や石など異物の塊を検出して除去する。
（２）　乾燥
磁気選別機や風力選別機において、濡れた新聞紙等が異物の上にあると、充分な選別ができないので、ごみを水分２０％以下に乾燥する。
（３）　磁気選別
乾燥したごみを磁気選別機にかけて、磁性のある鉄を除去する。
（４）　風力選別
風力選別を効率よく行なうには、風の通る断面にごみを可及的均一に分散させることが肝要である。そのため１次風力選別機の前に回転羽根式などの分配機を設けて、風力選別機の風が吹き上げるスリットに均一に分散されるようにする。これで可燃物の約９４％は分別可能となる。この風力選別は２回に分けて行なわれることもある。
（５）　軽い非磁性金属片の分離
アルミ缶やアルミ箔を内張りしたスナック菓子袋などは、磁性を帯びず、軽いために、これまでのいずれの選別機でも分別できない。一方これらのアルミは、量が多いと、流動床ボイラ等では、燃焼時に気化して煙道に蒸着してこれを閉塞させることがあるから、除去することが望ましい。そこで円形磁石を高速回転させる回転磁石式選別機を最後に用いて、これらのアルミに渦電流を発生させ、磁界変化によりコリオリの力で吹き飛ばすようにする。これにより全ての異物を可燃物と確実に分別することができる。
（６）　炭化
上記の工程を経て異物を除去された可燃物からなるごみ固形燃料を、炭化炉に供給して、酸素濃度１％以下の雰囲気で５００　℃以上で炭化すること、あるいはさらにこの炭化成品を８００　℃以上で水蒸気又はＣＯ２　と接触させて賦活処理することにより、本発明に必要な炭化物が得られる。
【００１８】
例えば、前記ごみ固形燃料を酸素濃度０．８　％程度の炭化炉に供給して６００　℃程度で乾留すると比表面積６０〜１４０ｍ２／ｇ　の炭化物が得られる。さらに該炭化物を賦活処理することにより、比表面積がさらに拡大するので、油分を凝集させる能力を向上させることができる。
【００１９】
【実施例】
（実施例１）
沿岸海上の流出油（この例では重油）をオイルフェンスで包囲し、オイルフェンスを越えないように流出油をポンプで汲み上げ、包囲内での流出油の増加が観察されなくなった段階で、包囲内に炭化物を撒布した。包囲内の周縁域では棒などにより、また包囲内の中央域では海水を噴射することにより、撒布した炭化物と流出油を攪拌混合して、流出油の凝集を図った。凝集化した流出油は波打ち際に打ち上げられ、塊となっているため回収は容易であった。回収した凝集体の塊はドラム缶に集め、ドラム缶より塊状物を回収した。
【００２０】
また、ドラム缶に残る海水（凝集体回収の際に混入したもの）に対して、さらに炭化物を添加し、攪拌棒あるいは凝集体回収に使用した柄杓で攪拌することにより、海水中の油分をさらに凝集させ廃水浄化を行なった。ドラム缶より回収した塊状物は、流動床型燃焼炉の燃料として再使用できた。
なお、ここで使用した炭化物は、ごみ固形燃料を酸素濃度約０．８　％の炭化炉にて約６００　℃で乾留して得られたものである。
（実施例２）
流出油（この例では重油）の海岸線打ち上げ物を、柄杓など人海作戦でドラム缶に回収して処理する際に、ドラム缶内には海水を多量に含む打ち上げ物と海水との混在物が溜まる。この混在物に対し、炭化物を添加し、攪拌を加え、油分を凝集させて形成した凝集体をドラム缶から回収した。残りの廃水に油の浮遊が見られた時は、再度炭化物を投入して浮遊油分の凝集化を図って海水浄化を行なった。ドラム缶より回収した凝集体にさらに炭化物を加えて塊状物とすることにより、流動床型燃焼炉の燃料として再使用できた。
【００２１】
なお、ここで使用した炭化物は、ごみ固形燃料を酸素濃度約０．８　％の炭化炉にて約６００　℃で乾留し、次いで賦活処理（処理条件：温度＝８００　℃、接触気体＝水蒸気）して得られたものである。
（実施例３）
タンカー周囲をオイルフェンスで囲って流出油（この例では重油）を包囲し、包囲内に浮遊している流出油およびタンカーから流出しつつある油に炭化物を撒布した。撒布後浮遊している流出油に対しては海水を汲み上げ攪拌用の圧力水として浮遊部分に散水した。流出しつつある油への炭化物撒布は、流出段階での接触による攪拌混合を期待したもので、この段階での凝集体の形成を図った。
【００２２】
ここで使用した炭化物は、ごみ固形燃料を酸素濃度約０．８　％の炭化炉にて約６００　℃で乾留し、次いで賦活処理（処理条件：温度＝８００　℃、接触気体＝水蒸気）した成品に、油分を分解するバクテリアを添加して得られたもので、このバクテリア入り炭化物が油分との凝集体となって海中へ沈降した後、バクテリアによって油分が分解される。
（比較例）
オイルフェンスで流出油（この例では重油）を包囲し、オイルフェンスを越えないように流出油をポンプで汲み上げ、ポンプ汲み上げ物に多量の海水が混ざりだした段階で、包囲内に油吸着マット等を多量に投入してこれを包囲内全域に展開した。投入した油吸着マット等は人力で回収したが、海中に浮遊したり海底に沈下したりして回収できなかったものも多量に発生した。
【００２３】
また、回収した油吸着マット等は海水を約８０〜９０％もの含有率で含浸しているため、焼却処分が必要となったが、助燃材を多量に使用しないと、燃焼性が悪く多量の黒煙発生が避けられなかった。
【００２４】
【発明の効果】
本発明によれば、ごみ固形燃料を炭化してなる油吸着凝集手段を用いたことにより、多量の流出油を塊状凝集体として、安価に、容易にかつ高能率に回収できるという効果を奏する。また、油回収後の廃水浄化が容易となり、さらに、回収した塊状凝集体は燃料として再使用できるという効果もある。
【図面の簡単な説明】
【図１】ごみ固形燃料を炭化してなる炭化物が油を吸着し凝集させる作用の説明図である。
【図２】本発明の実施形態の１例を示す模式図である。
【符号の説明】
１　ガラスコップ
２　水
３　油膜
４　炭化物
５　凝集体
６　オイル流出源（タンカー等）
７　流出油（オイル）
８　処理船
９　海
１０　オイルフェンス
【図１】
2004113884.tif 000003
【図２】
2004113884.tif 000004